(57)【要約】【課題】  使用者の意図しない報知音の書き込みを防止する報知時計を提供する。【解決手段】  携帯電話３００から転送される報知音用データを、記憶部１３に書き込む報知時計４００であって、携帯電話３００から転送される第１の認証用データと、予め記憶される第２の認証用データとが一致した場合に、報知音用データを記憶部１３に書き込む制御部１４を有することを特徴としている。この構成により、報知時計４００に記憶される第２の認証用データと、携帯電話３００から転送される第１の認証用データとが一致しない場合には、報知時計４００の報知音用データの書き込みが行われず、使用者の意図しない報知音の書き込みを防止することができる。【選択図】図２
2008032422.tif 000002
【特許請求の範囲】
【請求項１】
端末から転送される報知音用データを記憶部に書き込む報知時計であって、
前記端末から転送される第１の認証用データと予め記憶される第２の認証用データとが一致した場合に、前記報知音用データを前記記憶部に書き込む制御部を有することを特徴とする報知時計。
【請求項２】
端末から転送される第１の報知音用データによって、予め記憶部に記憶される第２の報知音用データが書き換えられる報知時計であって、
前記端末から転送される第１の認証用データと予め記憶される第２の認証用データとが一致した場合に、前記第２の報知音用データを前記第１の報知音用データに書き換える制御部を有することを特徴とする報知時計。
【請求項３】
前記制御部は、前記第１の報知音用データ及び前記第１の認証用データがともに前記端末から転送されてきた場合に、前記第１の報知音用データと前記第１の認証用データとに分離することを特徴とする請求項２に記載の報知時計。
【請求項４】
前記制御部は、それぞれが異なる複数の前記第２の認証用データを前記記憶部に記憶することを特徴とする請求項１乃至３のいずれか１項に記載の報知時計。
【請求項５】
前記制御部は、前記第１の認証用データと予め記憶される前記第２の認証用データとが一致した後に、第３の認証用データが転送された場合は前記第２の認証用データを前記第３の認証用データに書き換えることを特徴とする請求項１乃至４のいずれか１項に記載の報知時計。
【請求項６】
端末から転送される報知音用データを記憶部に書き込む報知音用データ書き込み方法であって、
前記端末から転送される第１の認証用データと予め記憶される第２の認証用データとが一致した場合に、前記報知音用データを前記記憶部に書き込むことを特徴とする報知音用データ書き込み方法。
【請求項７】
前記報知音用データ書き込み方法において、
前記端末から転送される第１の認証用データと予め記憶される第２の認証用データとが一致した場合に、前記第２の報知音用データを前記第１の報知音用データに書き換えることを特徴とする請求項６に記載の報知音用データ書き込み方法。
【請求項８】
端末と、前記端末にネットワークを介して接続され、前記端末に第１の報知音用データを送信する報知音用データ提供サーバと、前記第１の報知音用データが前記端末から転送され、転送される報知音用データを記憶部に書き込む報知時計と、を備える報知音用データ書き込みシステムであって、
前記報知時計は、
前記端末から転送される第１の認証用データと予め記憶される第２の認証用データとが一致した場合に、前記報知音用データを前記記憶部に書き込む制御部を有することを特徴とする報知音用データ書き込みシステム。
【請求項９】
前記報知音用データ書き込みシステムにおいて、
前記第１の報知音用データと共に転送される第１の認証用データと予め記憶される第２の認証用データとが一致した場合に、前記第２の報知音用データを前記第１の報知音用データに書き換える制御部を有することを特徴とする請求項８に記載の報知音用データ書き込みシステム。
【発明の詳細な説明】
【技術分野】
【０００１】
本発明は、報知時計に関し、特に特定の者以外の者に報知音を変更させない報知時計に関する。
【背景技術】
【０００２】
電子レンジ、エアコン、風呂の湯沸し器等の電子機器等から出力される報知音を、使用者の所望の音声や音楽等に変更する技術が知られている。例えば、特許文献１では、音楽コンテンツを配信する音楽コンテンツ配信システムから音楽コンテツを携帯電話等にダウンロードし、当該音楽コンテンツを対象となる電子機器に転送することで、使用者は電子機器の報知音を変更することができる。
【０００３】
また、特許文献２や特許文献３では、使用者がインターネット上に配置される目覚まし音データ提供サーバから目覚まし音データを携帯電話にダウンロードし、当該目覚まし音データを携帯電話から目覚まし時計に転送することで、目覚まし音を変更するようにしている。
【特許文献１】特開２００６−５３２８１号公報
【特許文献２】特開２００４−２３３３１６号公報
【特許文献３】特開２００３−９０８８９号公報
【発明の開示】
【発明が解決しようとする課題】
【０００４】
ところが、特許文献１から特許文献３に開示される技術では、例えば、子供等が携帯電話等を操作して、いたずらで報知音や目覚まし音（以下、単に報知音という。）を書き換える等、使用者以外の者に報知音を書き換えられる可能性がある。
【０００５】
また、目覚し時計やその他電子機器等がお互いに近くにあったために、携帯電話から転送した報知音用データが使用者の意図しない機器に転送され、その結果、使用者の望まない報知音に書き換えられてしまうという可能性もある。本発明は上述した問題に鑑みてなされたものであり、使用者の意図しない報知音の書き込みを防止する報知時計、報知音用データ書き込み方法、報知音用データ書き込みシステムを提供する。
【課題を解決するための手段】
【０００６】
上述した課題を解決するために、本発明の報知時計は、端末から転送される報知音用データを、記憶部に書き込む報知時計であって、前記端末から転送される第１の認証用データと、予め記憶される第２の認証用データとが一致した場合に、前記報知音用データを前記記憶部に書き込む制御部を有することを特徴としている。
この構成により、報知時計に記憶される第２の認証用データと、端末から転送される第１の認証用データとが一致しない場合には、報知時計の報知音用データの書き込みが行われず、使用者の意図しない報知音の書き込みを防止することができる。
【０００７】
また、本発明の報知時計は、端末から転送される第１の報知音用データによって、予め記憶部に記憶される第２の報知音用データが書き換えられる報知時計であって、前記端末から転送される第１の認証用データと、予め記憶される第２の認証用データとが一致した場合に、前記第２の報知音用データを前記第１の報知音用データに書き換える制御部を有することを特徴としている。
この構成により、報知時計の認証用データと、端末から転送される認証用データとが一致しない場合には、報知時計の報知音用データの書き換えが行われず、使用者の意図しない報知音の書き換えを防止することができる。
【０００８】
また、本発明の前記制御部は、前記第１の報知音用データ及び前記第１の認証用データがともに前記端末から転送されてきた場合に、前記第１の報知音用データと前記第１の認証用データとを分離することを特徴としている。
この構成により、転送されるデータの中から第１の認証用データのみを抽出でき、確実に第２の認証用データと突き合わせが可能となる。
【０００９】
また、本発明の前記制御部は、それぞれが異なる複数の前記第２の認証用データを前記記憶部に記憶することを特徴としている。
この構成により、報知時計には、それぞれが異なる複数の第２の認証用データが登録されることになり、複数の端末に対応することができる。
【００１０】
また、本発明の前記制御部は、前記第１の認証用データと、予め記憶される前記第２の認証用データとが一致した後に、第３の認証用データが転送された場合は前記第２の認証用データを、前記第３の認証用データに書き換えることを特徴としている。
この構成により、報知音を書き込もうとする使用者が正規の使用者であると確認した後に、報知時計に記憶される認証用データを別の認証用データに書き換えることができる。
【００１１】
また、本発明の報知音用データの書き込み方法は、端末から転送される報知音用データを、記憶部に書き込む報知音用データ書き込み方法であって、前記端末から転送される第１の認証用データと、予め記憶される第２の認証用データとが一致した場合に、前記報知音用データを前記記憶部に書き込むことを特徴としている。
【００１２】
また、本発明の報知音用データの書き込み方法は、上述した前記報知音用データ書き込み方法において、前記端末から転送される第１の認証用データと、予め記憶される第２の認証用データとが一致した場合に、前記第２の報知音用データを前記第１の報知音用データに書き換えることを特徴としている。
【００１３】
また、本発明の報知音用データ書き込みシステムは、端末と、前記端末にネットワークを介して接続され、前記端末に第１の報知音用データを送信する報知音用データ提供サーバと、前記第１の報知音用データが前記端末から転送され、転送される報知音用データを、記憶部に書き込む報知時計と、を備える報知音用データ書き込みシステムであって、前記報知時計は、前記端末から転送される第１の認証用データと、予め記憶される第２の認証用データとが一致した場合に、前記報知音用データを前記記憶部に書き込む制御部を有することを特徴としている。
【００１４】
また、本発明の報知音用データ書き込みシステムは、上述した前記報知音用データ書き込みシステムにおいて、前記第１の報知音用データと共に転送される第１の認証用データと、予め記憶される第２の認証用データとが一致した場合に、前記第２の報知音用データを前記第１の報知音用データに書き換える制御部を有することを特徴としている。
【発明の効果】
【００１５】
本発明によれば、報知時計に対して、使用者の意図しない報知音の書き込みが行われることを防止することができる。
【発明を実施するための最良の形態】
【００１６】
以下、本発明の実施の形態について、図面を参照して具体的に説明する。
【００１７】
図１は、本発明の実施形態に係る報知時計４００に報知音用データを転送する様子を示す概念図であり、図２は、携帯電話３００及び報知時計４００の機能ブロック図である。図１において、報知音用データ提供サーバ１００は、ＣＰＵ等の制御装置、フラッシュメモリ、ＳＲＡＭ(Static Random Access Memory)やＤＲＡＭ（Dynamic RAM）等の半導体記憶装置、ハードディスク等によって構成される。そして、報知音用データ提供サーバ１００は、インターネットやＬＡＮ（Local Area Network）等のネットワーク２００上に配置され、外部からのアクセスに応じて報知音用データを提供する機能を有する。
【００１８】
端末としての携帯電話３００は、図１に示すように、ネットワーク２００を経由して報知音用データ提供サーバ１００にアクセスし、報知音用データを取得（ダウンロード）すると共に、取得した報知音用データを報知時計４００に転送する機能を有する。携帯電話３００には、液晶ディスプレイ等の表示画面１０が形成され、携帯電話３００の動作状態を逐次表示する。また、携帯電話３００は、図２に示すように、報知音用データ提供サーバ１００からネットワーク２００経由でダウンロードされる所望の報知音用データを受信する電波受信部１と、電波受信部１に接続され、当該報知音用データを記憶する記憶部３とを備える。電波受信部１はアンテナ２等で形成され、無線通信によって報知音用データを受信する機能を有する。また、記憶部３は、フラッシュメモリ、ＳＲＡＭ(Static Random Access Memory)やＤＲＡＭ（Dynamic RAM）等の半導体記憶装置によって構成される。
【００１９】
また、携帯電話３００は、図２に示すように、記憶部３に記憶される報知音用データを報知時計４００に送信するＩｒ送受信部５を有する。Ｉｒ送受信部５は、送信用ＬＥＤ（Light Emitting Diode：発光ダイオード）７等の発光素子およびフォトダイオード２８等の受光素子によって構成され、ＩｒＤＡ（Infrared Data Association）等で規格化された赤外線通信によって報知時計４００と送受信が行われる。そして、電波受信部１、記憶部３、Ｉｒ送受信部５は、マイコン等の制御部９あるいはそこで実行されるプログラムにより制御される。
【００２０】
さらに制御部９について詳しく説明する。制御部９は、報知時計４００と認証するためのＩＤデータを報知音用データにセットする機能を有する。ＩＤデータは複数の数字または文字もしくはこれらの組み合わせによって構成されるもので、使用者によって所定の基準に則り任意に設定されるものである。報知音用データを報知時計４００に転送する際には使用者はこのＩＤデータを端末に入力する。入力されたＩＤデータは制御部９によって報知音用データと共に報知時計４００に転送されて、報知時計４００が報知音用データを受け入れるかを認証するために用いられる。具体的なＩＤデータには、例えば、携帯電話の電話番号がある。携帯電話の電話番号は１１桁で構成されるため、転送される報知音用データの先頭１１バイトに携帯電話の電話番号を割り当てればよい。
【００２１】
次に、報知時計４００について説明する。報知時計４００は、例えば、目覚まし時計等、報時機能を有する時計であり、図１に示すように、携帯電話３００から転送されるＩＤデータ付き報知音用データを受信する。より詳しくは、図２に示すように、携帯電話３００から転送されるＩＤデータ付き報知音用データを受信するＩｒ送受信部１１と、Ｉｒ送受信部１１に接続され、当該ＩＤデータ付き報知音用データを記憶する記憶部１３を備える。Ｉｒ送受信部１１は受信用フォトダイオード１５等の受光素子および送信用ＬＥＤ２９等の発光素子で構成され、赤外線などの無線通信によって携帯電話３００と送受信が行われる。記憶部１３は、携帯電話３００と同様、フラッシュメモリ、ＳＲＡＭ(Static Random Access Memory)やＤＲＡＭ（Dynamic RAM）等の半導体記憶装置によって構成される。Ｉｒ送受信部１１、記憶部１３は、それぞれマイコン等の制御部１４あるいはそこで実行されるプログラムにより制御される。
【００２２】
また、報知時計４００は、図２に示すように、時刻を表示したり、報知時刻を設定したりする時刻部１６と、ＩＤデータ付き報知音用データの報知音用データを増幅する増幅部１７と、使用者に報知音用データの取得状況等を表示する表示部１９と、報知音出力部２３と、メロディ選択スイッチ２６と、ＩＤデータリセットスイッチ２７とを有し、それぞれ制御部１４により制御される。時刻部１６が、使用者によって所望の時刻に設定され、当該設定された時刻に達すると、制御部１４がその旨を検出し、メロディ選択スイッチ２６によって選択されている報知音に基づいて、記憶部１３から報知音用データを取得する。メロディ選択スイッチ２６は、使用者が予め記憶部１３に記憶されている複数の報知音の中から出力させる報知音を選択するもので、例えばロータリースイッチなどによって構成されている。制御部１４はメロディ選択スイッチ２６によって選択された当該報知音用データに基づいてアナログ信号を生成し、生成されたアナログ信号は、例えば増幅回路によって構成される増幅部１７によって増幅された後に、報知音として報知音出力部２３から出力される。報知音出力部２３は、例えばスピーカ等によって構成される。表示部１９は、表示用ＬＥＤ２５等の発光素子によって構成され、携帯電話３００からのＩＤデータ付き報知音用データの取得状況に応じて点灯したり、電波修正用データの受信に応じて点灯したりする。ＩＤデータリセットスイッチ２７は予め記憶部１３に記憶されているＩＤデータを消去するために用いられる。
【００２３】
さらに、報知時計４００には録音スイッチ２０が形成される。当該録音スイッチ２０は、ＩＤデータ付き報知音用データの受信可否を切り替える機能を有する。例えば、録音スイッチ２０が押下されると、制御部１４は、ＩＤデータ付き報知音用データを受信する「録音モード」にＩｒ送受信部１１を切り替えるとともに、表示用ＬＥＤ２５を赤く点灯させる。なお、録音スイッチ２０は、ＩＤデータの登録機能も有する。例えば、録音スイッチ２０が所定時間以上押下されると、制御部１４は、ＩＤデータを受信する「ＩＤデータ取得モード」にＩｒ送受信部１１を切り替えるとともに、表示用ＬＥＤ２５を赤と緑の交互に点灯させる。
【００２４】
続いて、携帯電話３００及び報知時計４００の動作について図面を参照して説明する。
【００２５】
図３は、報知時計４００へのＩＤデータ登録を示すフローチャートである。例えば、報知時計４００の新規購入時には、報知時計４００には認証するためのＩＤデータが登録されておらず、携帯電話３００からＩＤデータ付き報知音用データが報知時計に転送されても、受信できないことになる。したがって、まず、使用者は報知時計４００にＩＤデータを登録する必要がある。
【００２６】
報知時計４００にＩＤデータを登録するには、まず、使用者は報知時計４００の録音スイッチ２０を押下する。これによって、制御部１４は当該録音スイッチ２０の押下を検出する（Ｓ１）。ここで、制御部１４は、当該録音スイッチ２０が押下された時間を測定し、当該時間が所定時間以上でない場合には（Ｓ２：Ｎｏ）、録音スイッチ２０の押下が、ＩＤデータの登録を意図しない押下であるものと判定する。すなわち、当該録音スイッチ２０の押下は、報知音用データの録音を意図した押下であるものと判定し、制御部１４は、Ｉｒ送受信部１１を「録音モード」に設定する（Ｓ５）。これと同期して、制御部１４は、例えば表示用ＬＥＤ２５を赤く点灯させる等して、使用者に「録音モード」であることを認識させる。
【００２７】
一方、録音スイッチ２０が押下された時間が所定時間以上である場合には（Ｓ２：Ｙｅｓ）、ＩＤデータの登録を意図した押下であるものと判定し、制御部１４は、Ｉｒ送受信部１１を「ＩＤデータ取得モード」に設定する（Ｓ３）。そして、これと同期して、制御部１４は、例えば、表示用ＬＥＤ２５を赤と緑を交互に点灯させる等して、使用者に「ＩＤデータ取得モード」であることを認識させる。なお、「録音モード」と「ＩＤデータ取得モード」とを切り替えるための録音スイッチ２０の押下時間は、「録音モード」と「ＩＤデータ取得モード」とを容易に切り替えるために短すぎず、かつ必要以上に長くない値、例えば３秒程度が望ましい。
【００２８】
「ＩＤデータ取得モード」に設定された報知時計４００は、携帯電話３００から転送されるＩＤデータをＩｒ送受信部１１で受信し、記憶部１３に記憶する（Ｓ４）。なお、携帯電話３００からＩＤデータ付き報知音用データが転送された場合には、制御部１４がＩＤデータと報知音用データとを分離し、ＩＤデータのみを記憶部１３に記憶させる。このような動作を行うことによって、認証のためのＩＤデータが報知時計４００に記憶されることになる。
【００２９】
なお、購入直後は使用者以外の者がＩＤデータを登録する可能性が低いことを考えると、初回のみＩＤデータと報知音用データを「録音モード」にて共に設定できるようにすることで購入後にわずらわしい操作なしに使用可能にすることも考えられる。
【００３０】
次に、携帯電話３００の報知音用データ取得から録音モードにおける転送までの処理について図４に示すフローチャートを参照して説明する。
【００３１】
まず、使用者は携帯電話３００を操作して、報知音用データ提供サーバ１００から所望の報知音用データを携帯電話３００にダウンロードする必要がある。このため、まず、制御部９は、使用者からの操作に基づき、報知音用データをダウンロードするためのアプリケーションソフトウェアを起動する（Ｓ２１）。そして、制御部９は、アプリケーションソフトウェアによってダウンロードされた複数の報知音用データの曲名を携帯電話３００の表示画面１０に表示し、使用者からの選択指示入力を待機する（Ｓ２２）。
【００３２】
次に、使用者からの選択指示入力に応じて、制御部９は、試聴用の報知音用データを携帯電話３００にダウンロードし、携帯電話３００に形成される図示しないスピーカから報知音として出力する（Ｓ２３）。使用者によっては、試聴した報知音を好まず、他の報知音を聴きたい場合もあるので、制御部９は、試聴用でない正式な報知音用データをダウンロードする決定の入力が使用者からない場合には（Ｓ２４：Ｎｏ）、Ｓ２２の処理に戻る。一方、制御部９が当該報知音用データをダウンロードする決定の入力が使用者からあった場合には（Ｓ２４：Ｙｅｓ）、正式な報知音用データを携帯電話３００にダウンロードし（Ｓ２５）、当該報知音用データを記憶部３に記憶する。
【００３３】
続いて、携帯電話３００から報知時計４００に報知音用データを転送する場合、制御部９は記憶部３に記憶される報知音用データを抽出し、当該報知音用データにＩＤデータをセットする（Ｓ２６）。具体的には、報知音用データを報知時計４００に転送する旨の操作が携帯電話３００に行われた場合、制御部９は、携帯電話３００の表示画面１０にＩＤデータの入力画面を表示する。ユーザによってＩＤデータが入力され、転送の指示が制御部９になされると、制御部９は、入力されたＩＤデータを報知音用データにセットし、ＩＤデータ付き報知音用データとして、報知時計４００に転送する（Ｓ２７）。
【００３４】
ＩＤデータ付き報知音用データは、例えば図６に示すようにデータの先頭を示すヘッダ、ＩＤデータ、報知音データ、およびデータの終端を示すフッタから構成されている。
【００３５】
ここで、携帯電話３００から転送されたＩＤデータ付き報知音用データのＩＤデータと、報知時計４００に記憶されるＩＤデータとが一致しない場合には（Ｓ２８：Ｎｏ）、制御部９は携帯電話３００の表示画面１０に受信不可能である旨を表示（Ｓ３０）し、ＩＤ付き報知音用データの転送を停止する。一方、携帯電話３００から転送したＩＤデータ付き報知音用データのＩＤデータと、報知時計４００に記憶されるＩＤデータとが一致する場合には（Ｓ２８：Ｙｅｓ）、制御部９は携帯電話３００の表示画面１０に受信可能である旨を表示し（Ｓ２９）、ＩＤデータ付き報知音用データの転送を続行する。
【００３６】
次に、ＩＤデータ付き報知音用データが転送される報知時計４００の動作について図５に示すフローチャートを参照して説明する。
【００３７】
本実施形態においては、ＩＤの認証が正常に終了して使用者が正規の使用者であることを確認したら、続いて報知音用データの書き込みを開始する。その書き込み先は、現在メロディ選択スイッチ２６によって選択されている報知音用データ領域である。すなわち、予め記憶部１３に記憶されている報知音用データは、新たに書き込まれる報知音用データによって上書きされる。従って、使用者は報知音用データの書き込み処理を開始する前に、メロディ選択スイッチ２６によって、どのメロディに対して新しいメロディを上書きするのか選択する必要がある（Ｓ４０）。
【００３８】
次に制御部１４は、報知時計４００が「録音モード」に設定されているか確認し、「録音モード」に設定されていない場合には（Ｓ４１：Ｎｏ）、書き込み処理を終了する。一方、報知時計４００が「録音モード」に設定されている場合には（Ｓ４１：Ｙｅｓ）、制御部１４は、ＩＤデータ付き報知音用データを受信する（Ｓ４３）。
【００３９】
ここで、制御部１４は、報知時計４００が受信したＩＤデータ付き報知音用データのＩＤデータが、報知時計４００に予め登録されたＩＤデータと一致するか否かについて判定する（Ｓ４４）。具体的には、制御部１４は、ＩＤデータ付き報知音用データの始まりを示すヘッダを受信したら、ＩＤデータ付き報知音用データを一時的に記録しておくためにデータ領域内に用意されているバッファ領域への書き込みを開始すると共にＩＤデータ用に用意されているデータ領域に記録されているＩＤデータを抽出する。例えば図６に示すようにＩＤデータ付き報知音用データのＩＤデータ領域がヘッダの次の１１バイトである場合はヘッダの次の１１バイトのデータをＩＤデータとして抽出する。抽出されたＩＤデータは、制御部１４により報知時計４００の記憶部１３に記憶されているＩＤデータと突合せをされる。ＩＤデータが一致した場合には（Ｓ４４：Ｙｅｓ）、報知音用データを書き込もうとして携帯電話３００を操作する者は、正規の使用者であると判断できるため、報知音用データのバッファ領域への書き込みを続行する（Ｓ４５）。そして、これと同期して、制御部１４は、例えば表示用ＬＥＤ２５を緑色に点灯させる等して、使用者に「ＩＤデータが一致している」旨を認識させる。
【００４０】
報知音用データのバッファ領域への書き込みが最後まで正常に終了すると、制御部１４はバッファ領域に書き込まれたＩＤデータ付き報知音用データをＩＤデータと報知音用データとに分離し、バッファ領域内の報知音用データをメロディ選択スイッチ２６によって選択されている報知音用データのデータ領域に上書きする。続いて制御部１４は、例えば報知時計４００の表示用ＬＥＤ２５を緑色に点滅させる等、「書き込みが完了した」旨を表示して（Ｓ４６）、使用者にその旨を認識させる。なお、ＩＤデータが一致しなかった場合には（Ｓ４４：Ｎｏ）、制御部１４は、例えば報知時計４００の表示用ＬＥＤ２５を赤く点滅させる等、「受信エラー」である旨を表示して（Ｓ４７）、使用者にその旨を認識させて書き込みを中断し、途中まで受信したバッファ領域内の報知音用データを破棄する。なお、本実施形態における各報知音用データのファイルサイズは全て同一である。
【００４１】
このように、携帯電話３００から転送される報知音用データにＩＤデータが付与され、当該ＩＤデータが、予め報知時計４００に登録されたＩＤデータと一致する場合には、携帯電話３００を操作した者は、報知音を書き込もうと意図する正規の使用者と判断でき、逆に、ＩＤデータが一致しなかった場合には、使用者が意図しない不正の報知音用データの書き込み処理であると判断できるため、いたずら等による報知音用データの書き込み処理を防止することが可能となる。
【００４２】
なお、上述した実施形態では、ＩＤデータ付き報知音用データの受信とＩＤデータの突き合わせを平行して行ったが、いったんＩＤデータの受信および突き合わせを行い、ＩＤデータが一致していることを確認した後に改めて報知音用データの送信を要求するようにしてもよい。
【００４３】
また、上述した実施形態では、ＩＤデータ付き報知音用データを一時的に記録しておくためのバッファ領域を設けたが、このバッファ領域を設けずに受信したＩＤデータ付き報知音用データを直接上書きするようにしてもよい。
【００４４】
なお、上述した実施形態では、報知時計４００に１つのＩＤデータを登録する実施形態について説明したが、ＩＤデータの登録は１つに限定されず、報知時計４００には、複数のＩＤデータを登録することも可能である。携帯電話３００から転送されるＩＤデータ付き報知音用データのＩＤデータが、報知時計４００に登録された複数のＩＤデータのいずれか１つに一致すれば、制御部１４は報知音用データを書き込むことができる。これにより、特定された複数の使用者が携帯電話３００を操作して、報知音用データを報知時計に書き込むことができる。
【００４５】
報知時計４００に対して複数のＩＤデータを設定する場合には、例えば次のようにする。まず、報知時計４００を「ＩＤデータ取得モード」に設定した後にＩＤデータを転送し、正規の使用者であることを認識させた後に新たなＩＤデータを転送する。このようにすることで所定の範囲内で複数のＩＤデータを登録することができる。
【００４６】
また、報知時計４００に設定されているパスワードを変更したい場合には、
報知時計４００を「録音モード」に設定し、次に予め報知時計４００に設定したＩＤデータを入力し、続いて新しく設定したいＩＤデータを入力して転送する。そして当該ＩＤデータが、予め報知時計４００に登録されたＩＤデータと一致して、携帯電話３００を操作した者が、報知音を書き込もうと意図する正規の使用者と判断できた場合には次に転送された新しいＩＤデータによって、予め報知時計４００に設定してあるＩＤデータを書き換える。このようにすればＩＤデータの変更を行うことが可能である。
【００４７】
また、ＩＤデータリセットスイッチ２７を押せば報知時計４００に記憶されているＩＤデータを消去できる。このようにすることで、ＩＤデータを紛失した場合などに新しいＩＤデータを登録することができるようになる。ＩＤデータリセットスイッチ２７は、ＩＤデータを誤って消去することを防止するために所定の時間押すことで動作するようにすることが望ましい。その場合の時間は誤操作を防止でき、かつ容易に消去することができるような時間、例えば５秒程度が望ましい。
【００４８】
さらに、本発明は、上述した実施形態に限定されるものではなく、その要旨を逸脱しない範囲内で種々変形して実施することが可能である。
【産業上の利用可能性】
【００４９】
以上、説明したように、報知時計に対して、使用者の意図しない報知音の書き込みを防止することができ、産業上の利用可能性が高い。
【図面の簡単な説明】
【００５０】
【図１】報知時計に報知音用データを転送する様子を示す概念図である。
【図２】携帯電話及び報知時計の機能ブロック図である。
【図３】ＩＤデータを登録する際の報知時計の動作を示すフローチャートである。
【図４】報知音用データの受信から転送までの携帯電話の動作を示すフローチャートである。
【図５】報知音用データを受信する際の報知時計の動作を示すフローチャートである。
【図６】ＩＤデータの突き合わせを説明するための図である。
【符号の説明】
【００５１】
１  電波受信部
２  アンテナ
３、１３  記憶部
５、１１  Ｉｒ送受信部
７、２９  送信用ＬＥＤ
９、１４  制御部
１０  表示画面
１５  受信用フォトダイオード
１６  時刻部
１７  増幅部
１９  表示部
２０  録音スイッチ
２３  スピーカ
２５  表示用ＬＥＤ
２６  メロディ選択スイッチ
２７  ＩＤデータリセットスイッチ
２８  フォトダイオード
１００  報知音用データ提供サーバ
２００  ネットワーク
３００  携帯電話
４００  報知時計
【図１】
2008032422.tif 000003
【図２】
2008032422.tif 000004
【図３】
2008032422.tif 000005
【図４】
2008032422.tif 000006
【図５】
2008032422.tif 000007
【図６】
2008032422.tif 000008